(57)【要約】【課題】座席に着座した者の頸部を、後方のみならず側方も快適且つ確実に支持することができるネックサポートを提供することである。【解決手段】ネックサポート１は、基部２と支持部３とを有する。基部２は、座席１１のシートバック１２とヘッドレスト１３の間に配置して押圧挟持される部位である。支持部３は、シートバック１２と交差し前方側へ突出する突出部９ａ，９ｂを有する。基部２と支持部３は、上部シート材５と下部シート材６とが接合部２４で接合された中空構造を有する。上部シート材５は、下部シート材６よりも伸縮しにくい素材で形成されている。基部２内及び支持部３内には充填材が充填されている。基部２が押圧され、基部２内の容積が減少すると、基部２内の充填材が支持部３側へ移動する。下部シート材６は押し拡げられて膨張し、突出部９ａ，９ｂが上方へ反り返る。【選択図】図９
2017171171.tif 000002
【特許請求の範囲】
【請求項１】
シートバックとヘッドレストとを有する座席であってヘッドレストがシートバックに対して近接及び離間が可能である座席に装着して使用されるネックサポートであって、
基部と支持部とを有し、
前記基部は、前記シートバックとヘッドレストの間に配置されて、シートバックとヘッドレストの間で押圧挟持される部位であり、
前記基部は袋状の部位を有しており、
基部の前記袋状の部位は、押圧されると容積が減少するように変形し、
前記支持部は、シートバックに対して交差する方向であって座席の前方側に突出し、当該座席に着座した者の頸部の周囲に配置される部位であり、
前記支持部は、座席の前方側に突出した一対の突出部を有し、各突出部の間に頸部が配置される空間が形成されており、
支持部は、座席に装着された姿勢を基準として主に上面側を構成する上部シート材と、主に下面側を構成する下部シート材とを有する袋状の部位を有しており、
前記下部シート材は、上部シート材よりも伸縮し易い素材で形成されており、
前記基部と支持部における各袋状の部位の内部には充填材が充填されており、前記充填材は、流動性があり且つ容積変化しにくく、
一部の充填材が基部側と支持部側の間を移動可能であることを特徴とするネックサポート。
【請求項２】
シートバックとヘッドレストとを有する座席であってヘッドレストがシートバックに対して近接及び離間が可能である座席に装着して使用されるネックサポートであって、
基部と支持部とを有し、
前記基部は、前記シートバックとヘッドレストの間に配置されて、シートバックとヘッドレストの間で押圧挟持される部位であり、
前記基部は袋状の部位を有しており、
基部の前記袋状の部位は、押圧されると容積が減少するように変形し、
前記支持部は、シートバックに対して交差する方向であって座席の前方側に突出し、当該座席に着座した者の頸部の周囲に配置される部位であり、
前記支持部は、座席の前方側に突出した一対の突出部を有し、各突出部の間に頸部が配置される空間が形成されており、
着座した者の頸部が配置される前記空間側を構成する内側シート材と、
前記空間とは反対側を構成する外側シート材とを有する袋状の部位を有しており、
前記内側シート材は、外側シート材よりも伸縮し易い素材で形成されており、
前記基部と支持部における各袋状の部位の内部には充填材が充填されており、前記充填材は、流動性があり且つ体積変化しにくく、
一部の充填材が基部側と支持部側の間を移動可能であることを特徴とするネックサポート。
【請求項３】
前記支持部はＣ字状の外形を有しており、
下部シート材と上部シート材の境界が、
支持部のＣ字の内周側では、支持部の半分の高さ位置よりも高い位置にあり、
支持部のＣ字の外周側では、支持部の半分の高さ位置よりも低い位置にあることを特徴とする請求項１に記載のネックサポート。
【請求項４】
前記座席は、シートバックに設けられた装着穴にヘッドレストのステーを挿入する構造を有するものであり、
前記基部に、ヘッドレストのステーを貫通させる孔が設けられていることを特徴とする請求項１乃至３のいずれかに記載のネックサポート。
【発明の詳細な説明】
【技術分野】
【０００１】
本発明は、座席のシートバックとヘッドレストの間に装着して使用されるネックサポートに関するものである。
【背景技術】
【０００２】
車両の座席に座った者の頸部を支持することができるネックサポートが、例えば特許文献１に開示されている。
特許文献１に開示されているネックサポートは、ウレタン樹脂性のクッション体を布地で覆った構造を有している。すなわち、特許文献１のネックサポートは、内部，外部（表面）共に柔らかい構造を有している。
【先行技術文献】
【特許文献】
【０００３】
【特許文献１】特開２０１３−１８９０２９号公報
【発明の概要】
【発明が解決しようとする課題】
【０００４】
ところで、特許文献１に開示されているネックサポート装置では、着座者の頸部は後方しか支持できない。すなわち、頸部の側方部分が支持されていないため、着座者の体が側方（左右方向）に傾くと、頸部がネックサポートから外れてしまう。
【０００５】
そこで、頸部の側方も支持できる様にネックサポートの形状を工夫することが考えられる。すなわち、ネックサポートをＵ字状に構成して頸部の側方を支持することが考えられる。しかし、この場合には、ネックサポートが片持ち状態となり安定感を欠いたものになり易い。具体的には、ネックサポートがウレタン樹脂性のクッション体を布地で覆ったものであるため、ネックサポートをシートバック側から片持ち状に突出させると、ネックサポートの先端部分（自由端部分）の安定性が悪く、また、片持ち状の部分が容易に折れ曲がってしまうため、着座者の頸部の支持は不十分なものとなる。
【０００６】
そこで本発明は、上記事情に鑑み、座席に着座した者の頸部を、後方のみならず側方も快適且つ確実に支持することができるネックサポートを提供することを目的としている。
【課題を解決するための手段】
【０００７】
上記課題を解決するための請求項１に記載の発明は、シートバックとヘッドレストとを有する座席であってヘッドレストがシートバックに対して近接及び離間が可能である座席に装着して使用されるネックサポートであって、基部と支持部とを有し、前記基部は、前記シートバックとヘッドレストの間に配置されて、シートバックとヘッドレストの間で押圧挟持される部位であり、前記基部は袋状の部位を有しており、基部の前記袋状の部位は、押圧されると容積が減少するように変形し、前記支持部は、シートバックに対して交差する方向であって座席の前方側に突出し、当該座席に着座した者の頸部の周囲に配置される部位であり、前記支持部は、座席の前方側に突出した一対の突出部を有し、各突出部の間に頸部が配置される空間が形成されており、支持部は、座席に装着された姿勢を基準として主に上面側を構成する上部シート材と、主に下面側を構成する下部シート材とを有する袋状の部位を有しており、前記下部シート材は、上部シート材よりも伸縮し易い素材で形成されており、前記基部と支持部における各袋状の部位の内部には充填材が充填されており、前記充填材は、流動性があり且つ容積変化しにくく、一部の充填材が基部側と支持部側の間を移動可能であることを特徴とするネックサポートである。
【０００８】
請求項１に記載の発明では、座席のシートバックとヘッドレストの間に配置されて、シートバックとヘッドレストの間で押圧挟持される基部が袋状の部位を有しており、この袋状の部位は、押圧されると容積が減少するように変形する。また、基部の袋状の部位の内部には充填材が充填されている。よって、基部が押圧されて容積が減少すると、減少した容積の大きさに応じた量の充填材が基部内から流出する。
充填材は、流動性があり且つ体積変化しにくいので、基部が押圧されると基部から円滑に流出する。
また、支持部は、座席に装着された姿勢を基準として主に上面側を構成する上部シート材と、主に下面側を構成する下部シート材とを有する袋状の部位を有しており、下部シート材は、上部シート材よりも伸縮し易い素材で形成されている。さらに、支持部の袋状の部位には、充填材が充填されている。
すなわち、上部シート材と下部シート材は、直接又は他の別のシート材を介して間接的に接合されて袋状に構成されている。
ここで「主に上面側を構成する上部シート材」，「主に下面側を構成する下部シート材」とは、上部シート材，下部シート材が、それぞれ支持部の上面側，下面側の半分以上の領域を占めていることを意味している。
一部の充填材が基部側と支持部側の間を移動可能であり、この支持部に基部側から充填材が流入すると、袋状の支持部の内部は加圧されるが、上部シート材は伸縮しにくく、上部シート材は伸びることなく加圧に耐えて突っ張っており、下部シート材が伸縮し易いので、下部シート材は加圧されると伸びて膨張する。その結果、支持部は、上方に反り返った状態で突っ張り、片持ち状であっても支持部の姿勢は安定する。
さらに支持部は、座席の前方側に突出した一対の突出部を有し、各突出部の間に頸部が配置される空間が形成されている。この個々の突出部が上方に反り返った状態で突っ張るので、支持部が片持ち状であっても、着座した者の頸部を後方のみならず側方も良好に支持することができる。
【０００９】
請求項２に記載の発明は、シートバックとヘッドレストとを有する座席であってヘッドレストがシートバックに対して近接及び離間が可能である座席に装着して使用されるネックサポートであって、基部と支持部とを有し、前記基部は、前記シートバックとヘッドレストの間に配置されて、シートバックとヘッドレストの間で押圧挟持される部位であり、前記基部は袋状の部位を有しており、基部の前記袋状の部位は、押圧されると容積が減少するように変形し、前記支持部は、シートバックに対して交差する方向であって座席の前方側に突出し、当該座席に着座した者の頸部の周囲に配置される部位であり、前記支持部は、座席の前方側に突出した一対の突出部を有し、各突出部の間に頸部が配置される空間が形成されており、着座した者の頸部が配置される前記空間側を構成する内側シート材と、前記空間とは反対側を構成する外側シート材とを有する袋状の部位を有しており、前記内側シート材は、外側シート材よりも伸縮し易い素材で形成されており、前記基部と支持部における各袋状の部位の内部には充填材が充填されており、前記充填材は、流動性があり且つ体積変化しにくく、一部の充填材が基部側と支持部側の間を移動可能であることを特徴とするネックサポートである。
【００１０】
請求項２に記載の発明では、シートバックとヘッドレストの間に配置されて、シートバックとヘッドレストの間で押圧挟持される基部が袋状の部位を有しており、この袋状の部位は、押圧されると容積が減少するように変形する。また、基部の袋状の部位の内部には充填材が充填されている。よって、基部が押圧されて容積が減少すると、減少した容積の大きさに応じた量の充填材が基部内から流出する。
充填材は、流動性があり且つ体積変化しにくいので、基部が押圧されると基部から円滑に流出する。
また、支持部は、着座した者の頸部が配置される空間側を構成する内側シート材と、前記空間とは反対側を構成する外側シート材とを有する袋状の部位を有しており、内側シート材は、外側シート材よりも伸縮し易い素材で形成されている。さらに、支持部の袋状の部位には、充填材が充填されている。
すなわち、内側シート材と外側シート材は、直接又は他の別のシート材を介して間接的に接合されて袋状に構成されている。
一部の充填材が基部側と支持部側の間を移動可能であり、この支持部に基部側から充填材が流入すると、袋状の支持部の内部は加圧されるが、外側シート材は伸縮しにくく、外側シート材は伸びることなく加圧に耐えて突っ張っており、内側シート材は伸縮し易いので、内側シート材は加圧されると伸びて膨張する。その結果、支持部は、外側が突っ張って水平方向の姿勢が安定すると共に、内側（前記空間側）に膨張する。
さらに支持部は、座席の前方側に突出した一対の突出部を有し、各突出部の間に頸部が配置される空間が形成されている。この個々の突出部が内周側に膨張するので、着座した者の頸部に密着し、頸部を後方のみならず側方も良好に支持することができる。
【００１１】
請求項３に記載の発明は、前記支持部はＣ字状の外形を有しており、下部シート材と上部シート材の境界が、支持部のＣ字の内周側では、支持部の半分の高さ位置よりも高い位置にあり、支持部のＣ字の外周側では、支持部の半分の高さ位置よりも低い位置にあることを特徴とする請求項１に記載のネックサポートである。
【００１２】
請求項３に記載の発明では、支持部はＣ字状の外形を有しているので、着座した者の頸部の略全周囲を取り巻くことができる。
また、下部シート材と上部シート材の境界が、支持部のＣ字の内周側では、支持部の半分の高さ位置よりも高い位置にあり、支持部のＣ字の外周側では、支持部の半分の高さ位置よりも低い位置にあるので、基部側から支持部側に充填材が移動すると、支持部の下側と内側が膨張する。そのため、支持部の先端側が上方に反り返ると共に、頸部が配置される空間が狭まる。
その結果、着座した者の頸部を良好に支持することができる。
【００１３】
請求項４に記載の発明は、前記座席は、シートバックに設けられた装着穴にヘッドレストのステーを挿入する構造を有するものであり、前記基部に、ヘッドレストのステーを貫通させる孔が設けられていることを特徴とする請求項１乃至３のいずれかに記載のネックサポートである。
【００１４】
請求項４に記載の発明では、基部に、ヘッドレストのステーを貫通させる孔が設けられているので、ネックサポートは確実に座席に固定される。
【発明の効果】
【００１５】
本発明のネックサポートは、簡単な構成で着座した者の頸部を後方のみならず側方も良好に支持することができる。
【図面の簡単な説明】
【００１６】
【図１】本発明の実施形態に係るネックサポートの上部右前方側から見た斜視図である。
【図２】図１のネックサポートを平面視した断面図であり、充填材が偏っていない状態を示す。
【図３】図２のＡ−Ａ断面図であり、充填材が偏っていない状態を示す。
【図４】基部を押圧したネックサポートの内部を上方から見た断面図であり、充填材が偏っている状態を示す。
【図５】図４のＣ−Ｃ断面図であり、充填材が偏っている状態を示す。
【図６】図１のネックサポートの正面図であり、（ａ）は、基部が押圧されておらず容積が減少しておらず、支持部の突出部が上方に反り返っていない状態を示し、（ｂ）は、基部が押圧されていて容積が減少しており、支持部の突出部が上方に反り返っている状態を示す。
【図７】図１のネックサポートと座席の分解斜視図である。
【図８】図１のネックサポートが座席に装着され、ネックサポートの基部がシートバックとヘッドレストの間で押圧されていない状態を示す斜視図である。
【図９】図８において基部が、シートバックとヘッドレストの間で押圧されているネックサポートを上部右前方側から見た斜視図である。
【図１０】本発明の別の実施形態に係るネックサポートの平面図であり、（ａ）は、基部が押圧されていない状態を示しており、（ｂ）は、基部が押圧されている状態を示している。
【図１１】ネックサポートの変形例を示す斜視図である。
【図１２】図１１のＢ−Ｂ断面図であり、（ａ）は、基部が押圧されていない状態を示し、（ｂ）は、基部が押圧されている状態を示す。
【発明を実施するための形態】
【００１７】
以下、図面を参照しながら説明する。
図１に示す様に、ネックサポート１の外観は、全体形状が略Ｃ字形状を呈している。
ネックサポート１は、主に上部側を覆う上部シート材５と、主に下部側を覆う下部シート材６とが接合された中空構造を有している。すなわち、ネックサポート１は、内部に空間を有する袋状の構造を有している。
【００１８】
上部シート材５は、織物等の伸縮しにくい素材で形成されており、下部シート材６は、編物等の伸縮し易い素材で形成されている。又は、上部シート材５には、下部シート材６よりも太い糸で構成された生地，編み目が小さい生地，厚みが厚い生地を採用することができる。
すなわち、上部シート材５は、下部シート材６よりも伸縮しにくい。
上部シート材５としては、例えば、デニム生地を使用することができる。
下部シート材６としては、例えば、トリコット生地を使用することができる。
【００１９】
また、ネックサポート１は、中空構造の基部２と支持部３とを有している。
【００２０】
基部２は、図８，図９に示す様に、座席１１に固定される部位であり、変形部１６と二つの固定孔４（図１）が設けられている。
変形部１６は、押圧されると内部の容積が減少する様に変形する部位である。また、押圧力が作用しなくなると、変形部１６は元の形状に復帰する。
各固定孔４は、基部２の互いに離間した位置に設けられ、基部２を上下に貫通する孔であるが、基部２（ネックサポート１）の内部空間（後述の充填材１０が存在する空間）とは連通していない。
基部２は、袋状に構成されており、外力が作用して押圧されると内容積が減少する様に変形するが、上部シート材５，下部シート材６以外の部材で構成されていてもよい。
【００２１】
支持部３は、図８，図９に示す様に、座席１１のシートバック１２と交差する方向であって座席１１の前方側（正面側）に突出する部位である。
支持部３は、突出部９ａ，９ｂと後部１５とを有している。
後部１５は、基部２と連続する部位である。
突出部９ａ，９ｂは、後部１５と連続し、互いに離間した位置から前方側へ突出した部位であり、左右対称形を呈している。突出部９ａ，９ｂ，後部１５の間には上下に貫通する頸部配置部８が形成されている。
すなわち、突出部９ａ，９ｂの後端部分が、それぞれ後部１５と連続しており、突出部９ａ，９ｂの前端部分は自由端であり、図１に示す様に、互いに接近するように湾曲している。
支持部３の内部は中空であり、基部２の内部と連通している。
【００２２】
ネックサポート１の内部には、図２，図３に示す様に、充填材１０が充填されている。すなわち、基部２と支持部３の内部には充填材１０が充填されている。
充填材１０は、軽量で且つそれ自身がほとんど体積変化しないものを使用するのが好ましい。また、充填材１０は、塑性変形しないものであるのが好ましい。充填材１０としては、例えば、ビーズ，小豆等を使用することができる。また、充填材１０として粉体物や流体を使用してもよい。
充填材１０が軽量であると、使用者がネックサポート１を扱い易いというメリットがある。
【００２３】
図１に示すネックサポート１では、上部シート材５と下部シート材６が接合されて接合部２４が形成されており、ネックサポート１の側面部分に接合部２４が形成されている。図６（ａ）に示す様に、接合部２４の高さ位置は、ネックサポート１の全高の半分の高さよりも高い位置にあり、本実施形態では、ネックサポート１の全高の三分の二程度の高さ位置である。すなわち、上部シート材５がネックサポート１の上から三分の一程度の領域部分を覆っており、下部シート材６がネックサポート１の下から三分の二程度の領域部分を覆っている。
【００２４】
以上説明した様に構成されたネックサポート１は、図７乃至図９に示す様に、座席１１のシートバック１２とヘッドレスト１３の間に設置される。
すなわち、ネックサポート１の固定孔４にステー１４が挿通されており、基部２がシートバック１２とヘッドレスト１３の間に配置されている。
そして、図９に示す様に、ヘッドレスト１３とシートバック１２の間でネックサポート１の基部２（変形部１６）を押圧すると、基部２の内部空間の容積が減少し、基部２内の充填材１０が押し出されて、支持部３側へ移動する。
【００２５】
図２，図３に示す様に、ネックサポート１内には充填材１０が充填されており、上部シート材５と下部シート材６には張力が作用している。この状態で基部２が押圧されて、図４，図５に示す様に基部２側から支持部３側へ充填材１０が移動すると、伸縮し易い素材から成る下部シート材６が伸びる。換言すると、下部シート材６が充填材１０によって内部側から押し拡げられることによって支持部３側の内容積が増大し、基部２側の一部の充填材１０の、支持部３側への流入を受け入れることができるようになる。
【００２６】
基部２が押圧されていない状態を示す図３の上部シート材５は、ネックサポート１の領域Ｂの範囲を覆っている。ところが、基部２が押圧されている状態を示す図５の上部シート材５も領域Ｂの範囲を覆っている。すなわち、基部２が押圧され、上部シート材５に負荷が作用しても、上部シート材５は伸縮しにくいため、上部シート材５が占める領域Ｂは変化しない。
【００２７】
一方、基部２が押圧されていない状態を示す図３の下部シート材６は、ネックサポート１の領域Ａの範囲を覆っているが、基部２が押圧されている状態を示す図５の下部シート材６は、領域Ａよりも広い領域Ａ'の範囲を覆っている。すなわち、下部シート材６は、充填材１０によって内部側から押圧力を受けて押し拡げられ、覆う範囲が拡がっている。
【００２８】
すなわち、基部２側から支持部３側へ一部の充填材１０が移動することにより、主に下部シート材６が伸び、下部シート材６側が膨張する。その結果、ネックサポート１は、上部側が膨張せずに突っ張り、下部側のみが膨張し、支持部３の突出部９ａ，９ｂが前端側（先端側）へいくほど上方に反り返り、図６（ｂ），図９に示す状態となる。
【００２９】
図６（ａ）では、基部２が押圧されておらず、基部２の高さ寸法が大きい状態が描写されている。このとき、支持部３の上部シート材５，下部シート材６には、内部から充填材１０による過度な押圧力が作用していない。
【００３０】
図６（ｂ）では、基部２が押圧されて高さ寸法が減少し、基部２の内容積が減少して基部２内の充填材１０が支持部３側へ押し出され、支持部３における下部シート材６が内側から充填材１０に押し拡げられて下部シート材６側が膨張している。また、上部シート材５も充填材１０によって内部から押圧力を受けているが、上部シート材５は伸縮しにくい素材で形成されているため変形せず、押圧力に耐えて突っ張っている。
その結果、下部シート材６のみが押し拡げられて膨張し、支持部３の突出部９ａ，９ｂが反り上がる。
【００３１】
着座者（図示せず）の頸部は、頸部配置部８内に配置することができる。
ネックサポート１の支持部３内では、充填材１０同士が強力に押圧されており、支持部３の先端部分が上方へ反り返っているので、座席１１の着座者の頸部は上方へ持ち上げられ、着座者の姿勢が安定する。
【００３２】
また、頸部の側方には充填材１０が過密状態となった支持部３の突出部９ａ，９ｂがあり、突出部９ａ，９ｂが上方に反り返って突っ張っているので、外力が作用しても容易に折れ曲がることはなく、ネックサポート１は、着座者の頸部の後方を後部１５で支持し、頸部の側方を突出部９ａ，９ｂで確実に支持することができる。
【００３３】
ヘッドレスト１３を上方に移動させ、基部２がシートバック１２とヘッドレスト１３の間で押圧されなくなると、基部２は図６（ａ）に示す様な元の形状に戻る。すなわち、支持部３内の加圧されている充填材１０の一部が、基部２内にもどる。
【００３４】
図示していないが、基部２の内部空間と支持部３の内部空間の境界を仕切る別のシート材を設けてもよい。この別のシート材は、基部２側から見て凹凸（支持部３側から見て凸凹）となる様に変形することができるものである。具体的には、この別のシート材は、弾性を有しているか、又はたるみを有したものである。すなわち、基部２内の充填材１０と、支持部３内の充填材１０は、互いに混ざり合うことはないが、基部２が押圧されて内部容積が小さくなると、基部２内の一部の充填材１０が、境界にある別のシート材を支持部３側へ押し出しながら支持部３の領域内に侵入する。
換言すると、基部２内の充填材１０が境界にある別のシート材を越えて支持部３側へ移動することや、支持部３側の充填材１０が境界にある別のシート材を越えて基部２側へ移動することはない。
また、基部２の押圧が解除され、基部２の内部容積が復元すると、支持部３内の過密状態（加圧状態）の充填材１０によって別のシート材及び支持部３の領域内に侵入していた充填材１０が基部２側へ押し戻される。
【００３５】
また、図示していないが、支持部３の後部１５に襠（マチ）を設けるのが好ましい。後部１５に襠を設けると、着座者の頸部の後ろ側の部位との接触面積を大きく確保することができ、頸部の支持が安定する。
【００３６】
次に、本発明の別の実施形態のネックサポート２１について説明する。
図１０（ａ）は、本発明の別の実施形態に係るネックサポート２１の平面図である。図１０（ａ）に示すネックサポート２１は、図１に示すネックサポート１と同様の外観を有しているが、ネックサポート１の上部シート材５，下部シート材６の代わりに、外側シート材２２，内側シート材２３を有している。
ここでは、図１のネックサポート１と同じ構成には同じ符号を付している。
【００３７】
外側シート材２２は、支持部３における略Ｃ字形の主に外周部分を覆っている。
内側シート材２３は、支持部３における略Ｃ字形の主に内周部分を覆っている。
具体的には、外側シート材２２が支持部３のＣ字の外周側の全領域のうちの半分以上の領域を占めており、また、内側シート材２３が支持部３の内周側の全領域のうちの半分以上の領域を占めている。
外側シート材２２は、内側シート材２３よりも伸縮しにくい素材で形成されている。
すなわち、外側シート材２２は、図１に示す上部シート材５と同様の素材で形成されており、内側シート材２３は、下部シート材６と同様の素材で形成されている。
ネックサポート２１の基部２及び支持部３は中空構造であり、袋状に構成されている。
そして、ネックサポート２１の内部には充填材１０が充填されている。
【００３８】
この様なネックサポート２１の基部２を押圧すると、基部２内の充填材１０（図示せず）が支持部３側へ移動し、外側シート材２２，内側シート材２３には内部から押圧力が作用する。このとき外側シート材２２は押圧力に耐えて突っ張り、内側シート材２３は押し拡げられて膨張する。そのため、図１０（ｂ）に示す様に、突出部９ａ，９ｂが互いに接近する方向に移動する。
【００３９】
図１０（ｂ）では、ネックサポート２１は、突出部９ａ，９ｂの先端同士が接触し、頸部配置部８の周囲が完全に囲まれた状態となっている。すなわち、頸部配置部８に着座者の頸部が配置されると、当該頸部の全周囲がネックサポート２１によって確実に支持される。この場合には、着座者は、頸部を前後左右共に良好に支持される。
【００４０】
次に、本発明のさらに別の実施形態に係るネックサポート３１について説明する。
図１１に示すネックサポート３１では、基部３２を非変形部３２ａと弾性変形部３２ｂとで構成している。基部３２全体が、図７に示すヘッドレスト１３とシートバック１２の間で押圧挟持される。
【００４１】
非変形部３２ａは、剛性を有する板部材で構成されている。非変形部３２ａの幅方向の両側には、切欠部３４ａ，３４ｂが設けられている。切欠部３４ａ，３４ｂは、図７に示すヘッドレスト１３のステー１４に係合する部位であり、ネックサポート１の基部２の固定孔４の代わりに非変形部３２ａに設けられている。
【００４２】
基部３２に切欠部３４ａ，３４ｂを設けることによって、図７に示す様にヘッドレスト１３をシートバック１２から取り外さなくても、ネックサポート３１をステー１４に装着することができる。
【００４３】
弾性変形部３２ｂは、図１に示す基部２と同様の素材で構成されており、図１１では、基部３２の弾性変形部３２ｂと支持部３３の境界に便宜的に破線を引いている。弾性変形部３２ｂは支持部３３と連続しており、内部には図２に示す様な充填材１０が充填されている。すなわち、弾性変形部３２ｂは、袋の一部を構成しており、押圧すると内容積が減少する様に変形し、弾性変形部３２ｂの内部から充填材１０の一部又は全部が押し出される。
【００４４】
図１１に示す様に、支持部３３は、後部３５と突出部３９ａ，３９ｂを有しており、略Ｃ字形状を呈している。支持部３３の後部３５は、基部３２の弾性変形部３２ｂと連続する部位である。
【００４５】
支持部３３の表面（外殻）は、上部側と主にＣ字の外周側を覆う上部外周側シート材３７と、下部側と主にＣ字の内周側を覆う下部内周側シート材３８とが接合部３６で接合された構造を有している。
【００４６】
図１２（ａ）に示す様に、支持部３３（ネックサポート３１）の外周側では、上部外周側シート材３７が領域Ｃの範囲を占めており、下部内周側シート材３８が領域Ｄの範囲を占めている。領域Ｃの高さ範囲は、支持部３３の全高の半分以上を占めており、本実施形態では、領域Ｄの高さ範囲の３倍程度である。
【００４７】
また、支持部３３（ネックサポート３１）の内周側では、上部外周側シート材３７が領域Ｅの範囲を占めており、下部内周側シート材３８が領域Ｆの範囲を占めている。領域Ｅの高さ範囲は、支持部３３の全高の半分以下であり、本実施形態では、領域Ｆの高さ範囲の３分の１程度である。
【００４８】
すなわち、上部外周側シート材３７は、支持部３３（ネックサポート３１）の外周側の４分の３程度の範囲と、内周側の４分の１程度の範囲を覆っている。また、下部内周側シート材３８は、支持部３３（ネックサポート３１）の外周側の４分の１程度の範囲と、内周側の４分の３程度の範囲を覆っている。
よって、外周側の接合部３６の高さ位置は、内周側の接合部３６の高さ位置よりも低い。
【００４９】
支持部３３は、図１１に示す様に、後部３５，突出部３９ａ，３９ｂが略Ｃ字形状に繋がった構造を有しており、支持部３３の内周側には頸部配置部３０が形成されている。すなわち、支持部３３は、頸部配置部３０の略全周囲を取り巻いている。
【００５０】
支持部３３は中空構造を有しており、内部には充填材１０が充填されている。
基部３２側にある充填材１０の一部又は全部が支持部３３側へ移動すると、支持部３３における伸縮し易い素材で形成された下部内周側シート材３８が押し拡げられ、支持部３３が膨張し、支持部３３が上方へ反り返ると共に、内周側に膨張して頸部配置部３０の大きさが小さくなる。
【００５１】
本実施形態のネックサポート３１は、下面側とＣ字の内周面側を伸縮し易い素材のシート材で形成し、上面側とＣ字の外周面側を伸縮しにくい素材のシート材で形成している。
すなわち、この場合には、基部３２側から支持部３３側へ充填材１０が移動すると、図１２（ｂ）に示す様に、下面側とＣ字の内周面側とが膨張し、支持部３３（突出部３９ａ，３９ｂ）が上方へ反り返ると共に、頸部配置部３０の大きさが小さくなるようにネックサポート３１は変形する。
【００５２】
本発明に係るネックサポートは、シートバックとヘッドレストとが接近及び離間することができる座席に装着して使用することができるが、特に、自動車等の車両の助手席や、後部座席等に装着して使用するのが好ましい。なお、ネックサポートを自動車等の運転席に装着するのは、運転者の視界を遮る恐れがあり、推奨されない。
【符号の説明】
【００５３】
１，２１，３１  ネックサポート
２，３２    基部
３，３３    支持部
４    固定孔
５    上部シート材
６    下部シート材
８    頸部配置部（頸部が配置される空間）
９ａ，９ｂ，３９ａ，３９ｂ  一対の突出部
１０  充填材
２２  外側シート材
２３  内側シート材
２４  接合部（上部シート材と下部シート材の境界）
３４ａ，３４ｂ  切欠部
３７  上部外周側シート材
３８  下部内周側シート材
【図１】
2017171171.tif 000003
【図２】
2017171171.tif 000004
【図３】
2017171171.tif 000005
【図４】
2017171171.tif 000006
【図５】
2017171171.tif 000007
【図６】
2017171171.tif 000008
【図７】
2017171171.tif 000009
【図８】
2017171171.tif 000010
【図９】
2017171171.tif 000011
【図１０】
2017171171.tif 000012
【図１１】
2017171171.tif 000013
【図１２】
2017171171.tif 000014